(57)【要約】【課題】室内のデザイン性を損なわせない設置を実現することができる空調システムを提供する。【解決手段】室内側熱交換器２が室外機４に備えられて屋外に設置されている。また、長押３の上面側に上向き開放の空気口５が備えられると共に、長押３の下面側に下向き開放の空気口６が備えられ、いずれか一方の空気口を空気吸込み口とし、もう一方の空気口を空気吹出し口としている。そして、長押３と室外機４とがダクト管７，８で接続され、空気吸込み口から吸い込んだ室内空気を室外の室内側熱交換器４と熱交換させ、空気吹出し口を通じて室内１に返流して室内１の暖房や冷房が行われるようになされている。【選択図】      図１
2005241151.tif 000002
【特許請求の範囲】
【請求項１】
室内側熱交換器が室外に設置され、
室内側に空気吸込み口と空気吹出し口とが備えられ、
空気吸込み口から吸い込んだ室内空気を室外の前記室内側熱交換器と熱交換させ、空気吹出し口を通じて室内に返流するダクト管が備えられ、
長押の上面側に上向き開放の空気口が備えられると共に、長押の下面側に下向き開放の空気口が備えられ、いずれか一方の空気口を前記空気吸込み口とし、もう一方の空気口を前記空気吹出し口としていることを特徴とする空調システム。
【請求項２】
前記室内側熱交換器がヒートポンプ式の冷暖房エアコンの室内側熱交換器からなり、
長押の上面側の空気口を空気吸込み口とし、長押の下面側の空気口を空気吹出し口とする暖房モードと、長押の下面側の空気口を空気吸込み口とし、長押の上面側の空気口を空気吹出し口とする冷房モードとで、切換えを行えるようになされている請求項１に記載の空調システム。
【発明の詳細な説明】
【技術分野】
【０００１】
本発明は、長押を利用した空調システムに関する。
【背景技術】
【０００２】
室内を空調する目的で空調機を設置する場合、室内のデザイン性が室内機によって損なわれないように、室内機が室内に突出する場合には、室内機の色を壁の色と調和するようにしたり、室内機を壁や天井に埋込み式で設置する場合には、吸込み口や吹出し口のグリルに室内と調和するデザインを施したりすることが行われている。
【発明の開示】
【発明が解決しようとする課題】
【０００３】
しかしながら、いずれの場合であっても、室内機が室内側に突出したり、吸込み口や吹出し口が室内に露出してしまうことから、室内のデザイン性は多かれ少なかれ損なわれてしまうという問題がある。特に、和室の場合はそのことが問題となりやすい。
【０００４】
本発明は、上記のような従来の問題点に鑑み、室内のデザイン性を損なわせない設置を実現することができる空調システムを提供することを課題とする。
【課題を解決するための手段】
【０００５】
上記の課題は、室内側熱交換器が室外に設置され、
室内側に空気吸込み口と空気吹出し口とが備えられ、
空気吸込み口から吸い込んだ室内空気を室外の前記室内側熱交換器と熱交換させ、空気吹出し口を通じて室内に返流するダクト管が備えられ、
長押の上面側に上向き開放の空気口が備えられると共に、長押の下面側に下向き開放の空気口が備えられ、いずれか一方の空気口を前記空気吸込み口とし、もう一方の空気口を前記空気吹出し口としていることを特徴とする空調システム（第１発明）によって解決される。
【０００６】
この空調システムでは、室内側熱交換器が室外に設置されるので、室内側熱交換器を収容する室内機によって室内のデザイン性が損なわれるのを防ぐことができるのはもとより、長押を利用し、その上面側と下面側とを空調用の空気の吸込み口と吹出し口としているので、吸込み口や吹出し口も室内側から視認されにくく、そのため、室内のデザイン性を損なわせない設置を実現することができる。
【０００７】
しかも、空気の吹出し口と吸込み口を長押部分に備えさせたことで、これら口を長押に沿わせて口の広さを広くすることができ、吸込みと吹出しの必要風量を容易に確保することができる。
【０００８】
上記の空調システムにおいて、室内側熱交換器がヒートポンプ式の冷暖房エアコンの室内側熱交換器からなり、
長押の上面側の空気口を空気吸込み口とし、長押の下面側の空気口を空気吹出し口とする暖房モードと、長押の下面側の空気口を空気吸込み口とし、長押の上面側の空気口を空気吹出し口とする冷房モードとで、切換えを行えるようになされているとよい（第２発明）。
【０００９】
この場合は、冬期には、暖房モードにすることで、暖気は長押の高さ位置から室内の下方に吹き出し、天井付近に停留しようとする空気は積極的に長押側に吸い込まれていき、それにより、室内をむらなく効率的に暖房することができる。また、夏期には、冷房モードにすることで、冷気は長押の高さ位置から室内の上方に吹き出し、床付近に停留しようとする空気は上昇して長押側に吸い込まれていき、いやな冷風気流感を感じさせることなく、室内全体をむらなく効率的に冷房することができる。
【００１０】
しかも、上記のモードの切換えを、吹出し口と吸込み口とを上下逆にすることによって実現するものであるから、室内側に風向き切り換えのための可動部分が露出せず、長押部分を室内側に対してスッキリとしたものにすることができる。
【発明の効果】
【００１１】
本発明の長押空調システムは、以上のとおりのものであるから、室内のデザイン性を損なわせない設置を実現することができる。
【発明を実施するための最良の形態】
【００１２】
次に、本発明の実施最良形態を図面に基づいて説明する。
【００１３】
図１に示す実施形態の空調システムは、和室１にヒートポンプ式の冷暖房エアコンを設置する場合のもので、２は室内側熱交換器、３は長押であり、室内側熱交換器２は、屋外に設置された室外機４に備えられている。また、和室１の長押３の上面側には上向き開放の空気口５が備えられると共に、下面側には下向き開放の空気口６が備えられ、これら空気口５，６はそれぞれ、長押３の背面側でダクト管７，８に連通され、該ダクト管７，８は室外機４に接続され、室外機４に備えられたファン９を駆動することで、空気口５，６の一方から吸い込まれた室内空気が、ダクト管７，８の一方を通じて、室内側熱交換器２に送り込まれ、室内側熱交換器２を通過して熱交換された空気が、ダクト管７，８のもう一方を通じて、空気口５，６のもう一方から室内１に返流されるようになされている。
【００１４】
そして、本実施形態では、ファン９が正逆いずれの方向にも回転駆動できるようになされていて、暖房時には、長押３の上面側の空気口５を空気吸込み口とし、長押３の下面側の空気口６を空気吹出し口とするようにいずれか一方の向きに回転駆動し（暖房モード）、冷房時には、長押３の下面側の空気口６を空気吸込み口とし、長押の上面側の空気口５を空気吹出し口とするようにもう一方の向きに回転駆動する（冷房モード）ようになされている。
【００１５】
上記の空調システムでは、室内側熱交換器２が屋外に設置されているので、室内側熱交換器を収容する室内機で室内のデザイン性が損なわれることがないのはもとより、長押３を利用し、その上面側と下面側の空気口５，６を空調用の空気の吸込み口、吹出し口としているので、吸込み口や吹出し口も室内１側から視認されにくく、そのため、室内１のデザイン性を損なわせない設置を実現することができる。しかも、空気の吹出し口と吸込み口となる空気口５，６を長押３の部分に備えさせたことで、これら口５，６を長押３に沿わせて口の広さを広くすることができ、吸込みと吹出しの必要風量を容易に確保することができる。
【００１６】
そして、上記の空調システムによれば、図２（イ）に示すように、冬期には、暖房モードにすることで、暖気は長押３の高さ位置から室内１の下方に吹き出し、天井付近に停留しようとする空気は積極的に長押３の側に吸い込まれていき、それにより、室内１をむらなく効率的に暖房することができる。また、夏期には、図２（ロ）に示すように、ファン９を逆転駆動して冷房モードにすることで、冷気は長押３の高さ位置から室内１の上方に吹き出して天井に沿うようにして室内１に広がっていき、床付近に停留しようとする空気は上昇して長押３の側に吸い込まれていき、いやな冷風気流感を感じさせることなく、室内１の全体をむらなく効率的に冷房することができる。しかも、上記のモードの切換えを、吹出し口と吸込み口とを上下逆にすることによって実現するものであるから、室内側に風向き切り換えのための可動部分が露出せず、長押３の部分を室内１の側に対してスッキリとしたものにすることができる。
【００１７】
以上に、本発明の実施形態を示したが、本発明はこれに限られるものではなく、発明思想を逸脱しない範囲で各種の変更が可能である。例えば、上記の実施形態では、暖房モードと冷房モードの切換えをファン９の回転方向の切換えによって行う場合を示したが、その他の切換え手段で行われてもよい。
【００１８】
また、第１発明の空調システムは、暖房のみを行う空調システムとして構成されていてもよいし、冷房のみを行う空調システムとして構成されていてもよい。また、第１発明は、ヒートポンプエアコンに限らず、室内側熱交換器の内部を温水が通る温水暖房空調システムとして構成されていてもよいし、室内側熱交換器の内部を冷水が通る冷水冷房空調システムとして構成されていてもよい。
【００１９】
更に、本発明の空調システムは、和室に限らず、長押を取り付けることができる様々な室の空調システムとして広く用いることができるものであることはいうまでもない。
【図面の簡単な説明】
【００２０】
【図１】実施形態の空調システムを示すもので、図（イ）は正面図、図（ロ）は要部拡大図である。
【図２】図（イ）及び図（ロ）はそれぞれ、空調システムの作動状態を示す正面図である。
【符号の説明】
【００２１】
１…和室（室内）
２…室内側熱交換器
３…長押
５，６…空気口
７，８…ダクト管
９…ファン（切換え手段）
【図１】
2005241151.tif 000003
【図２】
2005241151.tif 000004